(57)【要約】【課題】接着剤等を使用せずに、付け爪の脱着を速やかに行い得るようにする。【解決手段】ネイルチップ１のほぼ厚み中心において、そのネイルチップ１の根元から先端側に向けてスリット２を形成する。それとともに、そのスリット２の両端を、このスリット２の延長方向に向けて開放された開放端３とする。このスリット２のスリット幅Ｗを爪の厚さと同程度とすることによって、このスリット２に爪先Ｎを挿し込むと、この爪先Ｎに付け爪が固定される一方で、爪先Ｎをスリット２から引き抜くことで容易に取り外しができる。このため、付け爪の脱着を速やかに行い得る。また、スリット２の両端を開放端３としたので、爪先Ｎの横幅がこのスリット２の長さよりも長い場合でも、その爪先Ｎをこのスリット２に容易に挿し込むことができる。【選択図】図１
2010012071.tif 000002
【特許請求の範囲】
【請求項１】
ネイルチップ（１）にスリット（２）を形成し、このスリット（２）に使用者の爪先（Ｎ）を挿し込んで、その爪先（Ｎ）に固定するようにした付け爪。
【請求項２】
前記スリット（２）の両端を、このスリット（２）の延長方向に向けて開放された開放端（３）とした請求項１に記載の付け爪。
【請求項３】
前記ネイルチップ（１）の表面に装飾物（５）を設けた請求項１又は２に記載の付け爪。
【請求項４】
前記装飾物（５）が、宝石である請求項３に記載の付け爪。
【請求項５】
前記ネイルチップ（１）の表面にくぼみ（４）を形成し、このくぼみ（４）に前記装飾物（５）を嵌め込んで固定した請求項３又は４に記載の付け爪。
【請求項６】
前記くぼみ（４）の形状が、前記装飾物（５）の前記ネイルチップ（１）への嵌め込み部分（５ａ）の形状と対応したものであって、その嵌め込みによって、前記ネイルチップ（１）への前記装飾物（５）の固定が安定的になされるようにした請求項５に記載の付け爪。
【発明の詳細な説明】
【技術分野】
【０００１】
この発明は、使用者の爪に固定してこの爪を装飾するための付け爪に関する。
【背景技術】
【０００２】
付け爪は、ネイルチップ（基材）の表面にペイントや装飾部材を設けた上で、使用者の爪の表面に固定し、その爪を装飾するためのものである。
この爪の表面への固定は、通常、ネイルチップの裏面にネイルグルーやジェルネイル等の爪用接着剤を塗布したり、両面テープを設けたりして、爪の表面に貼り付けることによってなされる。その一方で、この付け爪の取り外しは、専用のリムーバを付け爪と、使用者の爪との間にしみ込ませて、前記接着剤を溶解して行うのが一般的である。
【発明の開示】
【発明が解決しようとする課題】
【０００３】
この付け爪は、取り付けの際に接着剤や両面テープ等を用いるため、接着剤が乾燥するのを待ったり、両面テープの剥離紙を剥離したりする必要があり、その取り扱いが煩雑である。
また、接着剤で取り付けた付け爪の取り外しの際には、リムーバによって前記接着剤等を溶解させる必要があるため、それにも時間を要し一層煩雑である。また、そのリムーバには、接着剤等の溶解作用を高めるためにアセトン等の有機溶媒が含まれていることが多く、できるだけ使用頻度及び使用量を少なくするのが望ましい。
【０００４】
そこで、この発明は、接着剤等を使用せずに付け爪の脱着を速やかに行い得るようにすることを課題とする。
【課題を解決するための手段】
【０００５】
上記の課題を解決するため、この発明は、接着剤等を使用することなく、付け爪を使用者の爪先に容易に固定し得るようにした。これにより、その接着剤の乾燥をするのを待つまでもなく、外出等をすることができるため、その付け爪の使い勝手を非常に良好なものとし得る。その一方、取り外しの際に前記接着剤の溶解を必要としないため、迅速にその取り外しを行い得る。また、この接着剤を使用しないことによって、リムーバを使用せずにすむので安全性も高い。
【０００６】
この発明の構成として、付け爪の基材となるネイルチップにスリットを形成し、このスリットに使用者の爪先を挿し込んでその爪先に固定するようにすることができる。
【０００７】
前記固定は、その爪先をスリットに挿し込みさえすれば良いので、その取り付けを非常に容易なものとし得る。その一方、取り外しは、そのスリットから爪先を引き抜くだけなので、この作業も手間を要しない。
このスリットは、そのスリット幅を爪の厚み程度とするとともに、爪先の丸みに対応する弧状とするのが好ましい。この付け爪は、使用者の注文に応じてオーダーメードあるいはセミオーダーメードによって製作されるが、そのベースとなる付け爪のスリットの形状は、一般的な使用者の平均的な爪の厚さ及び爪先の形状に基づいて予め決められている。
【０００８】
この付け爪の使用者の爪先への固定は、前記スリットへの挿し込みによってなし得るが、前記スリットの内側に接着剤を設けて、その固定状態を一層確実なものとすることもできる。この場合、接着剤の使用量は、前記スリットと使用者の爪との間の隙間を埋める程度で十分なので、従来の付け爪のように、ネイルチップの裏面全体に接着剤を塗布する場合と比較してその使用量は大幅に少ない。
このため、短時間でその接着剤が乾燥し使い勝手が良い。また、接着剤の使用量が少ない分だけリムーバでの取り外しも短時間で行い得るため、リムーバの成分が使用者の爪に与える影響を最小限に抑制し得る。
【０００９】
前記付け爪の構成においては、前記スリットの両端がこのスリットの延長方向に向けて開放された開放端とすることもできる。
【００１０】
上述したように、オーダーメード等のベースとなる付け爪は、そのスリットの形状がある程度規格化されているのに対し、使用者の爪の形状は様々である。このため、使用者の爪の横幅がスリットの長さよりも長く、このスリットに爪先を挿し込めないこともあり得る。かといって、スリット長さの異なる付け爪を予め多種揃えておくことは、コストが嵩むため好ましくない。
【００１１】
そこで、上述したようにスリットの両端を開放するようにすれば、使用者の爪の横幅がスリットの長さよりも長い場合でも、このスリットの両端から爪が突出した状態で挿し込み得るので、爪の横幅に関係なく、この付け爪を使用し得る。
【００１２】
また、この付け爪のネイルチップは、使用者が自由にペイントし得るように無地であっても良いが、その表面に装飾物を設け、予め装飾性を付与しておくこともできる。
【００１３】
このように予め装飾しておくことで、付け爪としての商品性が格段に向上するとともに、使用者がペイント等の煩雑な作業を行うことなく、購入後すぐにその付け爪を使用することができる。
【００１４】
前記装飾物は適宜選択し得るが、例えば宝石を採用することができる。この宝石は装飾性が高いため付け爪の商品性を格段に向上することができる。
【００１５】
前記装飾物をネイルチップに設けるに際しては、このネイルチップの表面にくぼみを形成し、このくぼみに前記装飾物を嵌め込んで固定するようにすることができる。
前記装飾物として、例えばイミテーションの宝石を用いる場合は、この宝石の底面を平坦に加工するとともに、このくぼみの底面も平坦に加工して、両平坦面を接着剤等で密着させることによって、この装飾物のぐらつきを防止することが多い。
【００１６】
その一方で、付け爪の高級感を演出するために、自然石からなる宝石をネイルチップに設けた付け爪も好まれるようになってきている。その宝石においては、その底面を平坦に加工すると、この底面側での光の反射が不十分となって宝石特有の輝きが得られないため、その輝きを最大限に引き出すため種々の面カット加工がなされる。例えば、ダイヤモンドにおいてはブリリアントカットが好適である。このブリリアントカットは、ダイヤモンドの上部側にクラウンが形成される一方で、その下部側に多角錐状のパビリオンが形成された立体的形状をしている。
【００１７】
このように宝石等の装飾物の下部側が立体的な形状を有している場合は、前記くぼみの形状を、この装飾物の前記ネイルチップへの嵌め込み部分（例えば、前記ブリリアントカットにおけるパビリオン）の形状に対応したものとし、その嵌め込みによって、前記ネイルチップへの前記装飾物の固定が安定的になされるようにすることもできる。
この固定は、宝石とくぼみの間に接着剤を塗布したり、宝石とネイルチップに介在する係止爪を設けたりして固定するのが一般的である。
【発明の効果】
【００１８】
この発明によると、付け爪のネイルチップにスリットを形成して、このスリットに使用者の爪先を挿し込んで固定するようにしたので、その脱着を速やかに行うことができる。このため、この付け爪の使い勝手を非常に高いものとし得る。また、接着剤を使用しない場合にあってはリムーバを必要としないので安全性も高い。このため、使用者が安心してこの付け爪を使用することができる。
【発明を実施するための最良の形態】
【００１９】
この発明に係る付け爪の一実施形態を図１乃至図３に示す。
この付け爪は、ネイルチップ１のほぼ厚み中心において、その根元（使用者の爪先を挿し込む側）から先端側（爪先側）に向けてスリット２を形成したものである。このスリット２のスリット幅Ｗはほぼ爪の厚み程度であって、図４に示すようにこのスリット２に爪先Ｎを挿し込むと、その爪先Ｎがスリット２にきっちりと嵌まり込んで、この付け爪が爪先Ｎに固定される。
【００２０】
なお、図１乃至図４においてネイルチップ１の表面に一点鎖線Ｌで囲んだ領域には、製作者が任意の装飾（例えば、後述する図５に示す装飾）を適宜施すことができる。
【００２１】
このスリット２の両端は、このスリット２の延長方向に向けて開放された開放端３となっている。このため、爪先Ｎの横幅がこのスリット２の長さよりも長い場合でも、その爪先Ｎをこのスリット２に挿し込むことができる。
【００２２】
このように、爪先Ｎをスリット２に挿し込むことによって、この爪先Ｎに付け爪を安定的に固定し得るが、そのスリット２の内側に少量のネイルグルーやジェルネイル等の接着剤Ｇを設けつつ、このスリット２に爪先Ｎを挿し込み、その固定の安定性を一層向上させることもできる。そのようにすれば、外部からの衝撃等によって、爪先Ｎからこの付け爪が外れてしまう恐れが一層低下する。また、この際の接着剤Ｇの使用量は少量なので、その乾燥は速やかになされる。このため、爪先Ｎに取り付けた後、すぐに外出等することができ、使い勝手が良い。
【００２３】
このように接着剤Ｇでもって付け爪を設けた場合は、従来のようにリムーバを用いてこの付け爪を取り外す必要があるが、溶解すべき接着剤Ｇの量が少ないので、使用するリムーバも少なくて済む。このため、使用者の爪先Ｎがリムーバに触れる時間が短く、その使用の際の安全性が確保される。
【００２４】
この付け爪を爪先Ｎに設けると、わずかではあるが、この付け爪のネイルチップ１と、使用者の爪先Ｎの表面との間に段差Ｓが生じる。このため、図４に示すように、この段差部分にも接着剤Ｇを設け、この段差Ｓをなくすようにすることができる。このようにすることによって、使用の際に段差Ｓにものが引っ掛かって、付け爪が爪先Ｎから外れるというトラブルが発生しにくい。
【００２５】
このように段差Ｓに接着剤Ｇを設けた場合にあっては、その接着剤Ｇが爪の表面に露出しているため、速やかに乾燥し得る。また、その接着剤Ｇの除去にはリムーバを要するものの、上述したように表面に露出しているため、その除去を速やかにかつ容易に行い得る。
【００２６】
また、この付け爪の他の実施形態を図５に示す。この付け爪のネイルチップ１の表面には、複数のくぼみ４が形成されていて、各くぼみ４にはブリリアントカット加工を施したダイヤモンド５が嵌め込まれている。このくぼみ４の内壁は、このダイヤモンド５のパビリオン５ａがなす角度に沿う形状となっていて、前記嵌め込みによって、このくぼみ４の内壁によってダイヤモンド５が安定して支持される。このダイヤモンド５の固定はネイルチップ１の表面とダイヤモンド５とに介在して設けた係止爪６によってなされるが、このくぼみ４の内壁に接着剤を塗布しておいて、この接着剤によってダイヤモンド５を固定するようにしても良い。あるいは、パベ留め、彫り留等の周知の石留め手段によって固定するようにしても良い。
【００２７】
この図５に示した付け爪に施した装飾は、その一例であって、このネイルチップ１の表面（図１乃至図４の一点鎖線Ｌで囲んだ範囲内）には、ダイヤモンド以外の種類の宝石その他の装飾物５を適宜設けることができる。例えば、他の種類の宝石（ルビー、サファイア等）を用いた場合は、その宝石の種類によってその輝きを最大限に引き出すためのカットの形状が異なる。そこで、宝石の種類ごとにネイルチップの表面に形成するくぼみの形状（内壁の傾き、深さ）を変えて、このくぼみの内壁によって各宝石がしっかりと支持されるようにする。
【００２８】
前記表面には、当然ながら、異なる種類の宝石等の装飾物５を混在して設けても良い。このようにすることによって、この付け爪の装飾性を一段と高め得る。
【図面の簡単な説明】
【００２９】
【図１】この発明に係る付け爪の一実施形態を示す後方斜視図
【図２】同実施形態の前方斜視図
【図３】同実施形態を示し、（ａ）は平面図、（ｂ）は正面図、（ｃ）は底面図、（ｄ）は背面図、（ｅ）は側面図、（ｆ）は（ｂ）のＡ−Ａ断面図
【図４】同実施形態に係る付け爪の使用態様を示し、（ａ）は平面図、（ｂ）は側面図
【図５】この発明に係る付け爪の他の実施形態を示し、（ａ）は平面図、（ｂ）は側面断面図
【符号の説明】
【００３０】
１  ネイルチップ
２  スリット
３  開放端
４  くぼみ
５  ダイヤモンド（装飾物）
５ａ  パビリオン（ネイルチップへの嵌め込み部分）
６  係止爪
Ｇ  接着剤
Ｎ  爪先
【図１】
2010012071.tif 000003
【図２】
2010012071.tif 000004
【図３】
2010012071.tif 000005
【図４】
2010012071.tif 000006
【図５】
2010012071.tif 000007